(57)【要約】【課題】  引出しガイド（５，６）の引出しレール（５）を引出しに連結する装置において、引出しが重い場合や、物で埋まっている場合でも、多くの力を加えることなく、しかも簡単に引出しレールとのロック連結を解除することができる取付け金具を提供する。【解決手段】  引出しの底面および／または前板（２）に取り付け可能な取付け金具（１０）を設ける。取付け金具（１０）にバネの力に抗して弾性的に揺動して引出しレール（５）とロックするフック（１１）を設け、このフック（１１）をそのロック位置から解放し、一方のアーム（３２）がハンドルの形状をしている二腕式のレバー（１３）を支持する。レバー（１３）のもう一方のアーム（３０）を引出しレール（５）とフック（１１）とのロック連結を解除するように、ロック用フック（１１）に対して、またはロック用フック（１１）の領域で該ロック用フック（１１）と繋がった脚部（２０，２１）に対して直に当接させる。【選択図】  図２
2004160224.tif 000002
【特許請求の範囲】
【請求項１】
引出しガイド（５，６）の引出しレール（５）を引出しに連結する装置であって、前記引出しの底面および／または前板（２）に取り付け可能な取付け金具（１０）を備え、
前記取付け金具（１０）は、バネの力に抗して弾性的に揺動して前記引出しレール（５）とロックするフック（１１）を有するとともに、前記フック（１１）をそのロック位置から解放する二腕式のレバー（１３）を支持しており、前記二腕式レバー（１３）の一方のアーム（３２）がハンドルの形状をしている装置において、
前記レバー（１３）のもう一方のアーム（３０）は、前記引出しレール（５）と前記フック（１１）とのロック連結を解除するように、ロック用フック（１１）に対して、または前記ロック用フック（１１）の領域で該ロック用フック（１１）と繋がった力伝達要素に対して直に当接していることを特徴とする装置。
【請求項２】
ハンドルを備える前記二腕式レバー（１３）は、前記取付け金具（１０）の下面に保持され、
前記取付け金具（１０）の下面は、引出しの底板（４）とは反対側に向いていることを特徴とする請求項１に記載の装置。
【請求項３】
前記引出しレール（５）は一対設けられ、
前記一対の引出しレール（５）はそれぞれもう一方の引出しレール（５）の方向に向いているロック用突起（１２）を備え、該ロック用突起（１２）の後ろに前記ロック用フック（１１）が係合することを特徴とする請求項１または２記載の装置。
【請求項４】
前記取付け金具（１０）の支持用本体（１６）には、２本のバネ性の脚部（２０，２１）が一体的に延設されており、これら脚部（２０，２１）の端部同士が繋がるウェブ部（２２）に、前記ロック用フック（１１）が形成されていることを特徴とする請求項１ないし３のうちいずれか１項に記載の装置。
【請求項５】
前記バネ性の脚部（２１）は、前記ロック用突起（１２）によってロック位置で係合される横向きの凹部（２４）を備えていることを特徴とする請求項１ないし４のうちいずれか１項に記載の装置。
【請求項６】
前記凹部（２４）は、ストッパ（２７）で覆われていることを特徴とする請求項１ないし５のうちいずれか１項に記載の装置。
【請求項７】
前記取付け金具（１０）は、引出しの前端を前記引出しレール（５）から持ち上げる調整装置（３５，３６，３７，３８，３９，４０，４１）を備えていることを特徴とする請求項１ないし６のうちいずれか１項に記載の装置。
【請求項８】
前記調整装置は、前記取付け金具（１０）の支持用本体に回動可能に支持された二腕式レバー（３６）を備え、
前記レバー（３６）の一方のアーム（４０）は操作ハンドルを形成し、
もう一方のアーム（３８）は、引出しの底板（４）と引出しレール（５）との間の間隙に挿入可能なくさび状ディスク（３９）を有していることを特徴とする請求項７に記載の装置。
【請求項９】
前記レバー（３６）と前記支持用本体との一方には、設定した回動位置を固定するための突起（４２，４３）が設けられ、他方には前記突起（４２，４３）に対応するロック用凹部（４４，４５）が設けられていることを特徴とする請求項８に記載の装置。
【請求項１０】
前記取付け金具（１０）の支持用本体は、前記引出しレール（５）の前端に対するストッパ（２５）を備えていることを特徴とする請求項１ないし９のうちいずれか１項に記載の装置。
【発明の詳細な説明】
【技術分野】
【０００１】
本発明は、引出しガイドセットの引出しレールを引出しに連結する装置に関し、特に、バネの力に抗して弾性的に揺動して引出しレールとロックするフックを有するとともに、フックをそのロック位置から解放する二腕式のレバーを支持し、かつ引出しの底面および／または前板に取り付け可能なタイプの取付け金具を備え、前記二腕式レバーの一方のアームがハンドルの形状をしている装置に関する。
【背景技術】
【０００２】
例えば、特許文献１および２には、引出しガイドセットの引出しレールの前端を引出しの底面または前板に連結する取付け金具が開示されている。この取付け金具は、ロック用突起を有するレバーを備え、該レバーは、バネの力に抗して回動可能となっている。このレバーは、ロック用突起において引出しレール側のロック装置にスナップ嵌合する。
【０００３】
特許文献３に示す前記のタイプの取付け金具では、前記フックは、第１の二腕式レバーのうち長い方のレバーアームの端部に設けられている。該第１の二腕式レバーは、バネによってそのロック位置の方向に付勢され、取付け金具のガジオンピンに回動可能に保持されている。前記取付け金具の別のガジオンピンには、フックと引出しガイドレールとのロック連結を解除する第２の二腕式レバーが保持されている。この第２の二腕式レバーのうち、長い方のアームはハンドルの形状をしている。一方、この二腕式レバーの短い方のアームは、前記ロック用フックを有する第１のレバーの長い方のアームより数倍短い第１の二腕式レバーのアームと係合する。
【特許文献１】独国実用新案第８８０２６９０Ｕ１号明細書
【特許文献２】独国実用新案第２０１０７２７８Ｕ１号明細書
【特許文献３】独国実用新案第９２０４８４５Ｕ１号明細書
【発明の開示】
【発明が解決しようとする課題】
【０００４】
このような公知の金具の実施例によれば、前記第２の二腕式レバーのハンドルを形成するレバーアームが長いにも関わらず、ロック用フックを有する第１の二腕式レバーのレバーアームが長いため、取付け金具と引出しレールとの間のロック連結を解除するのに利用できる力がわずかしか働かない状況になる。したがって、特に引出しが重い場合や、物を沢山積み込んでいる場合には、ロック連結を解除して引出しを持ち上げる際に、問題が起こる可能性がある。
【０００５】
したがって、本発明の目的は、引出しが重い場合や、物で埋まっている場合でも、多くの力を加えることなく、しかも簡単に引出しレールとのロック連結を解除することができる取付け金具を提供することである。
【課題を解決するための手段】
【０００６】
本発明によれば、前記レバーのもう一方のアームは、前記引出しレールと前記フックとのロック連結を解除するように、ロック用フックに対して、または前記ロック用フックの領域で該ロック用フックと繋がった力伝達要素に対して直に当接していることで前記目的は満たされる。本発明に係る取付け金具では、ハンドルを備える二腕式レバーを作動させることによって、ロック連結を解除する力が、ロック用フックに対して、または、前記ロック用フックの領域で該ロック用フックと繋がった力伝達要素に直接伝達されるため、前記ロック用フックは、ロックを解除するために必要な力を伝達する長いレバーまたは棒がなくても引出しレールから直接解放することができる。したがって、本発明に係る取付け金具によれば、解除する力を伝達する棒またはレバーアームが曲がり、そのためにロックが解除されず、ロック連結の状態で引出しが再び挿入できなくなる可能性がなくなる。
【０００７】
好適な実施形態においては、ハンドルを備える二腕式レバーは、前記取付け金具の下面に保持され、該下面は、引出しの底板と反対側に向いている。このようにすれば、引出しを引き出すために両手で保持しながら、指で二腕式レバーのハンドルを把持することによって、ロック連結を解除するためにハンドルを操作できるので、人間工学的に好ましい配置となる。
【０００８】
引出しを押し込む方向に傾斜接触面を有するロック用フックは、引出しレールの窓状凹部と係合することができるので、ロック用フックは、前記窓状凹部が形成されているその前端に係合する。しかしながら、好適な実施形態においては、引出しレールはそれぞれもう一方の引出しレールの方向に向いているロック用突起、例えばタブまたは折曲り突起を備え、前記タブまたは折曲り突起の後ろにロック用フックが係合する。
【０００９】
本発明の更なる実施形態において、前記取付け金具の支持用本体には、２本のバネ性の脚部が一体的に延設されており、これら脚部の端部同士が繋がるウェブ部に、前記ロック用フックが形成されている。この構成では、取付け金具は、射出成形プラスティック部品から一体成形され、該プラスティックは、バネ性の脚部に必要な弾力性を有する。
【００１０】
好ましくは、取付け金具のベースプレートまたはバネ性の脚部は、前記ロック用突起によってロック位置で係合される横向きの凹部を備えている。前記凹部をストッパで覆うことにより、引出しレールから引出しが誤って持ち上がったり、引き出されたりされないようにすることができる。
【００１１】
本発明の更なる実施形態において、前記取付け金具は、引出しの前端を引出しレールから持ち上げる調整装置を備えている。このような調整装置を公知の方法で用いて、引出しの前壁または前板を互いに位置合わせし、必要であれば、すべての間隙が同じ幅になるように、家具のドアまたはフラップ扉に対して互いに位置合わせをする。前記調整装置は、前記取付け金具の支持用本体に回動可能に支持された二腕式レバーを備え、該レバーの一方のアームは操作ハンドルを形成し、もう一方のアームは、引出しの底面と引出しレールとの間の間隙に挿入可能なくさび状ディスクを有している。設定した回転位置を固定するためのロック用凹部をレバーと支持用本体との間に設けることができる。このような調整装置は、独国実用新案第２０２１１８０３Ｕ１号明細書から公知である。
【００１２】
引出しの前面または前板の高さ調整の間に、引出しの両側にあり、かつ取付け金具によって支えられるロック用フックに対して適切な間隙を設けるため、引出しレールから切り出されている窓は適切な高さを有している。すなわち、引出しレールに配置されたロック用突起は、該ロック用突起を覆っているストッパに対して十分な間隙を有している。
【００１３】
好ましくは、前記取付け金具の支持用本体は、前記引出しレールの前端に対するストッパを備えている。
【発明を実施するための最良の形態】
【００１４】
以下、本発明の一実施の形態を図面に基づいて詳細に説明する。
【００１５】
図１は、側壁１と前板２と後壁３と底板４とを備える通常の引出しの長手方向断面図である。前記引出しは両側方の引出しレール（引出しガイド）５によって支持され、各引出しレール５は、通常、家具の骨組み部である側壁７に取り付けられた支持レール（引出しガイド）６にローラー部材を介して案内される。前記引出しレール５の後端には、Ｚ字状の保持部８が設けられ、その下脚部は前記引出しレール５に連結される一方、その上脚部は、前記引出しレール５と平行に延出し、前記引出しの後壁３にある凹部９と係合する。
【００１６】
図２に示すように、前記底板４の下面（前記引き出しの底面）の前隅の領域には、取付け金具１０が取り付けられている。また、図３〜図５にも示すように、この取付け金具１０は、前記引出しレール５から曲げ出されたタブ状の折曲り突起（ロック用突起）１２と連結するバネ性のロック用フック１１を備えている。前記フック１１と前記突起１２とのロック連結を解除するために、二腕式のレバー１３が設けられている。この二腕式レバー１３は、前記取付け金具１０のベースプレート１６の下面に保持されている。この二腕式レバー１３のハンドル１４は、引出しの両側を握る手の指を使って引出しが骨組みから引き出される際に手が届き易いため、容易に上記ロック連結を解除することができる。
【００１７】
前記引出しは、以下のようにして、その両側に配置された引出しレール５に容易に連結可能である。すなわち、前記引出しは、前記引出しレール５の上に置かれており、前記凹部９が前記保持部８の上脚部と係合し、かつ、図３〜図５に示したように、傾斜した接触面を有する前記フック１１が前記突起１２の後ろに係合する引出し閉鎖位置まで、後方へ押し込まれる。このような連結関係は、前記引出しレール５が後方のストッパによって骨組みに保持されることによって成り立ち、そのため、前記引出しレール５上の引出しは、そのロック位置に押し込むことができる。ロック連結を解除するためには、解除レバー（二腕式レバー）１３を作動させる前に、前記引出しレール５が前記支持レール６の前方のストッパと当接する位置まで前記引出しが引き出されるようにすることが好ましい。
【００１８】
図３〜図５に示すように、前記取付け金具１０は、ベースプレート１６と該ベースプレート１６に対して垂直に配置された帯状壁部１７とを有する支持用本体を備え、これらの部分は取付け用ボアホール１８，１９を備えている。そのため、前記取付け金具１０を引出しの前板２または底板４に取り付けることができる。前記取付け金具１０の支持用本体は、力伝達要素として後方に拘束されない状態で突出する２本のバネ性の脚部２０，２１を備えている。これらバネ性脚部２０，２１は、間隔を空けて互いに平行に延びており、これら脚部２０，２１の端部は互いにウェブ部２２によって繋がっている。前記バネ性のロック用フック１１は、前記引出しレール５に面している前記脚部２１の側面と前記ウェブ部２２とに繋がっており、その傾斜した接触面２３を引出しの挿入方向に向けている。前記引出しレール５に面している脚部２１の側面には、前記引出しレール５から曲げ出されたロック用突起１２のための凹部２４と、引出しレール５の前面に対する直角のストッパ２５とが設けられている。前記凹部２４は板状のストッパ２７によって覆われて、引出し前板２の高さ調整時にロック用突起１２が十分な遊びを有するように、ポケットが形成されている。取付け金具１０の本体は補強リブを備えており、この本体の引出し底板４と反対側の面には、ロック解除用の二腕式レバー１３のガジオンピン２９を軸支するボアホール２８が設けられている。引出し挿入方向に向いている前記レバー１３のレバーアーム３０は、バネ性両脚部２０，２１の端部同士を繋げたウェブ部２２の領域内で両脚部２０，２１と係合するカム３１を備えている。前板２の方に向かっている前記レバーアーム３２は、ハンドル１４となる把持部３３を備えている。
【００１９】
金具本体の引出し底板４側の面では、二腕式調整レバー（調整装置）３６の軸受ガジオンピン（調整装置）３５が前記ベースプレート１６のボアホール３４に軸支されている。前記両レバー１３，３６は射出成形されたプラスティック部品からなり、前記軸受ガジオンピン２９，３５は中空で溝穴を備え、それらの端部にテーパー状のつば（調整装置）３７を有している。そのため、つば３７の縁がボアホール２８，３４の縁と重なるまで、前記ガジオンピン２９，３５を前記軸受ボアホール２８，３４に押し込むことができる。調整レバー（調整装置）３６のうち一方のレバーアーム（調整装置）３８は、くさび状部（調整装置，くさび状ディスク）３９を備え、該くさび状部３９は、前板２の高さを調整するために、前記引出しの底板４と前記引出しレール５との間の間隙に回動して入ることができる。調整レバー３６のもう一方のレバーアームである後方側レバーアーム（調整装置）４０には、操作用のハンドル（調整装置）４１が設けられている。前記調整レバー３６は、その設定した回動位置を固定するために、突起４２，４３を備えており、これら突起４２，４３は、前記支持用本体の対応するロック用凹部４４，４５に係合することができる。
【図面の簡単な説明】
【００２０】
【図１】前面が取付け金具によって側方引出しレールに連結される本発明に係る引出しの長手方向断面図である。
【図２】引出しレールにロックされている状態で引出しに連結された図１に係る取付け金具を下側から見た平面図である。
【図３】調整レバーと解除レバーとが前記取付け金具から外された状態の図１および図２に係る取付け金具の分解斜視図である。
【図４】図１ないし図３に係る取付け金具を下側から見た斜視図である。
【図５】取付け金具を上側から見た斜視図である。
【符号の説明】
【００２１】
２    前板
４    底板
５    引出しレール（引出しガイド）
６    支持レール（引出しガイド）
１０    取付け金具
１１    ロック用フック
１２    折曲り突起
１３    二腕式レバー
１６    支持用本体
２０    バネ性脚部
２１    バネ性脚部
２２    ウェブ部
２４    凹部
２５    ストッパ
２７    ストッパ
３０    アーム
３２    アーム
３５    軸受ガジオンピン（調整装置）
３６    二腕式レバー（調整レバー、調整装置）
３７    つば（調整装置）
３８    レバーアーム（調整装置）
３９    くさび状部（調整装置、くさび状ディスク）
４０    レバーアーム（調整装置）
４１    ハンドル（調整装置）
４２    突起
４３    突起
４４    ロック用凹部
４５    ロック用凹部
【図１】
2004160224.tif 000003
【図２】
2004160224.tif 000004
【図３】
2004160224.tif 000005
【図４】
2004160224.tif 000006
【図５】
2004160224.tif 000007